(57)【要約】【課題】  一般人が健康状態の改善のために自らの位置づけを知ることのできる健康状態評価システムを提供すること。【解決手段】  血液数値を主とする健康診断の数値Ｄｘを説明変量とした主成分分析により、分散の大きな上位３つの主成分変数である運動習慣主成分変数Ｃ１、エネルギー摂取習慣主成分変数Ｃ２及び栄養バランス習慣主成分変数Ｃ３を求める。健康診断の数値Ｄｘを入力するデータ入力部と、主成分分析から求められた係数及び数式に基づき運動習慣主成分変数Ｃ１、エネルギー摂取習慣主成分変数Ｃ２及び前記栄養バランス習慣主成分変数Ｃ３を計算する演算部と、演算部によりあらかじめ求められた多人数のデータにおける被験者の位置づけを表示する結果表示部を備える。３主成分変数Ｃ１−Ｃ３により、多人数のデータにおける被験者の位置づけを求めることで、当該被験者の健康状態を評価する。【選択図】    図１
2016091338.tif 000002
【特許請求の範囲】
【請求項１】
血液数値を主とする健康診断の数値（Ｄｘ）を用いてあらかじめ求められた多人数のデータにおける被験者の位置づけを求めることで、当該被験者の健康状態を評価する健康状態評価システムであって、
前記健康診断の数値（Ｄｘ）を説明変量とした主成分分析により、分散の大きな上位３つの主成分変数である運動習慣主成分変数（Ｃ１）、エネルギー摂取習慣主成分変数（Ｃ２）及び栄養バランス習慣主成分変数（Ｃ３）を求め、
前記健康診断の数値（Ｄｘ）を入力するデータ入力部と、
前記主成分分析から求められた係数及び数式に基づき前記運動習慣主成分変数（Ｃ１）、前記エネルギー摂取習慣主成分変数（Ｃ２）及び前記栄養バランス習慣主成分変数（Ｃ３）を計算する演算部と
前記演算部によりあらかじめ求められた多人数のデータにおける被験者の位置づけを表示する結果表示部を備え、前記３主成分変数（Ｃ１−Ｃ３）により、あらかじめ求められた多人数のデータにおける被験者の位置づけを求めることで、当該被験者の健康状態を評価する健康状態評価システム。
【発明の詳細な説明】
【技術分野】
【０００１】
本発明は、健康状態評価システムに関し、詳しくは、血液数値を主とする健康診断の数値（Ｄｘ）を用いてあらかじめ求められた多人数のデータにおける被験者の位置づけを求めることで、当該被験者の健康状態を評価する健康状態評価システムに関する。
【背景技術】
【０００２】
従来、この種のシステムとしては、例えば先行文献１のごときものが知られている。同文献によれば、各血液数値毎の位置づけ、または、臓器ごとの主成分分析による位置づけがなされていた。その健康状態の位置づけは、専門的解釈を必要とし、一般人が健康状態の改善に用いるには適しにくいものであった。
【先行技術文献】
【非特許文献】
【０００３】
【非特許文献１】日本人間ドック学会・健康保険組合連合会、「新たな健診の基本検査の基準範囲  日本人間ドック学会と健保連による１５０万人のメガスタディー」、[online]、平成２６年４月、インターネット<ＵＲＬ：http://www.ningen-dock.jp/wp/wp-content/uploads/2013/09/%E3%83%97%E3%83%AC%E3%82%B9%E3%83%AA%E3%83%AA%E3%83%BC%E3%82%B9%E7%94%A8PDF%EF%BC%88140409%E5%B7%AE%E3%81%97%E6%9B%BF%E3%81%88%EF%BC%89.pdf>
【発明の概要】
【発明が解決しようとする課題】
【０００４】
かかる従来の実情に鑑みて、本発明は、一般人が健康状態の改善のために自らの位置づけを知ることのできる健康状態評価システムを提供することを目的とする。
【課題を解決するための手段】
【０００５】
上記目的を達成するため、本発明に係る健康状態評価システムの特徴は、血液数値を主とする健康診断の数値（Ｄｘ）を用いてあらかじめ求められた多人数のデータにおける被験者の位置づけを求めることで、当該被験者の健康状態を評価する構成において、前記健康診断の数値（Ｄｘ）を説明変量とした主成分分析により、分散の大きな上位３つの主成分変数である運動習慣主成分変数（Ｃ１）、エネルギー摂取習慣主成分変数（Ｃ２）及び栄養バランス習慣主成分変数（Ｃ３）を求め、前記健康診断の数値（Ｄｘ）を入力するデータ入力部と、前記主成分分析から求められた係数及び数式に基づき前記運動習慣主成分変数（Ｃ１）、前記エネルギー摂取習慣主成分変数（Ｃ２）及び前記栄養バランス習慣主成分変数（Ｃ３）を計算する演算部と前記演算部によりあらかじめ求められた多人数のデータにおける被験者の位置づけを表示する結果表示部を備え、前記３主成分変数（Ｃ１−Ｃ３）により、あらかじめ求められた多人数のデータにおける被験者の位置づけを求めることで、当該被験者の健康状態を評価することにある。
【０００６】
同特徴において、発明者によれば、分散の大きな上位３つの主成分変数が、それぞれ、運動習慣主成分変数（Ｃ１）、エネルギー摂取習慣主成分変数（Ｃ２）及び栄養バランス習慣主成分変数（Ｃ３）に相当し、それぞれの生活改善の指標として適用可能であることが判明した。
【０００７】
したがって、血液数値を主とする健康診断の数値（Ｄｘ）を用いるだけで、被験者は、運動習慣主成分変数（Ｃ１）、エネルギー摂取習慣主成分変数（Ｃ２）及び栄養バランス習慣主成分変数（Ｃ３）を知徳でき、これらによって一般人でも健康状態の改善を容易に図ることが可能となった。
【発明の効果】
【０００８】
上記本発明に係る健康状態評価システムの特徴によれば、一般人が健康状態の改善のために自らの位置づけを知ることが可能となった。
【０００９】
本発明の他の目的、構成及び効果については、以下の発明の実施の形態の項から明らかになるであろう。
【図面の簡単な説明】
【００１０】
【図１】本発明に係る健康状態評価システムにおける表示例を示す図である。
【図２】赤色（Ｐｃｘ）ゾーンの生活習慣を持つ人の疾患を示す図である。
【発明を実施するための形態】
【００１１】
次に、適宜添付図面を参照しながら、本発明をさらに詳しく説明する。
［結果の活用方法］
・生活習慣は青色＞黄色＞赤色の順に適切であることを示す。
なお、図１の例では、青色を図１の符号Ｐａｘで示すゾーン、黄色を図１の符号Ｐｂｘで示すゾーン、赤色を図１の符号Ｐｃｘで示すゾーンとしてそれぞれ示す。
・３つの生活習慣の中で一番不適切な習慣に注目する。
青色ゾーン：生活習慣病リスクは低いですが、貧血や低血圧の注意は必要です。
黄色ゾーン：加齢とともに生活習慣病リスクが高まる可能性があります。
赤色ゾーン：この生活習慣を持っている方の８０％は生活習慣病です。管理栄養士等専門家の指導のもと、適切に改善する必要があります。
【００１２】
図１の各値の詳細は、下記の通りである。
ＡＳＴ  １０〜４０  ＩＵ／ｌ
肝臓に多く含まれる酵素で、組織に障害があると、血液中の値が上昇します。これらが極端に高い値を示すと種々の肝障害が疑われます。
ＡＳＴ  ５〜４５  ＩＵ／ｌ
肝臓に多く含まれる酵素で、組織に障害があると、血液中の値が上昇します。これらが極端に高い値を示すと種々の肝障害が疑われます。
γ―ＧＴ  男８０以下  ＩＵ／ｌ、女３０以下  ＩＵ／ｌ
肝臓などに分布する酵素で、胆汁うっ滞、アルコール、薬物などの影響で上昇します。肝炎、閉塞性黄疸、胆石などで胆汁うっ滞が生じた場合に測定値は上昇し、特にアルコールに敏感に反応することがあるほか、鎮痛剤などの薬物でも上昇することがあります。
ＬＤＬ  全コレステロールからＨＤＬを引いたもの。
ＨＤＬ  男４０〜７０  ｍｇ／ｄｌ、女４５〜７５  ｍｇ／ｄｌ
ＨＤＬ（高比重）コレステロールは、動脈硬化の原因となるコレステロールを末梢血管から肝臓に転送する働きがあり、善玉コレステロールとも呼ばれます。４０以下では動脈硬化になる危険性が高いとされています。食物摂取で直接増加させることはできませんが、体脂肪を減らしたり、適度な運動が効果的です。
中性脂肪  ３０〜１４９  ｍｇ／ｄｌ
中性脂肪は、エネルギー源として利用されますが、過剰となれば皮下や肝臓に蓄積して、肥満や脂肪肝の原因となります。又、動脈硬化も促進されます。
血糖値（空腹時血糖値のこと）７０〜１０９ｍｇ／ｄｌ
血糖検査は、血液中のブドウ糖濃度を測定する検査です。ブドウ糖は生体のエネルギー源と利用代謝されます。血糖値は、食事などにより変動しますが、その変動幅は一定範囲に止まり、その調節には、間脳、自律神経及びインスリンなどのホルモンが深く関与しています。一般的に糖代謝の診断は、朝の空腹時血糖値をもって判定されます。それ以外の随時血糖（あるいは食後血糖）では、正確な診断は難しいのですが、正常人の場合は食後であっても１４０ｍｇ／ｄｌを越えることは、ほとんどありません。
最高血圧（収縮時血圧）
最低血圧（拡張時血圧）
【００１３】
血圧については、下記表１に示す。
【００１４】
【表１】
2016091338.tif 000003
【図１】
2016091338.tif 000004
【図２】
2016091338.tif 000005